(57)【要約】  本願明細書は、個人メタデータの制御又は使用を可能にする技術及び装置を記載する。幾つかの実施形態では、当該技術は、個人のメタデータをインターネット上の種々の情報源から集め、ユーザインタフェースに個人のメタデータを提示し、メタデータの一部の追加、削除又は重み付けにより個人に彼又は彼女のメタデータを制御させる。これにより、当該技術は、人々に、彼らのメタデータを知らせ変更可能にする。これは、彼らに、インターネットとの彼らの相互作用を調整させ又は彼らの評判若しくは安全を向上させる。
2014521155.tif 000002
【特許請求の範囲】
【請求項１】
ユーザインタフェースに個人のメタデータを提示するステップであって、前記個人のメタデータは、通信ネットワークを通じてアクセス可能な複数の情報源からのものである、ステップと、
前記ユーザインタフェースに提示された前記個人のメタデータの一部を削除し又は重み付けすることの選択を通じて、前記個人のメタデータの制御を可能にするステップと、
前記の選択に応答して、前記個人のメタデータの前記一部又は前記個人のメタデータに基づき前記通信ネットワークを通じて行われる将来の相互作用を変更するステップと、
を有するコンピュータにより実施される方法。
【請求項２】
前記個人のメタデータの前記一部を変更するステップは、前記複数の情報源のうちの１つにおいてメタデータを変更する、請求項１に記載の方法。
【請求項３】
前記個人のメタデータの前記一部を変更するステップは、前記将来の相互作用を変更するのに有効である、請求項１に記載の方法。
【請求項４】
前記変更するステップは、前記個人のメタデータではなく、前記将来の相互作用を変更するのに一時的に有効である、請求項１に記載の方法。
【請求項５】
前記将来の相互作用は、前記の変更された個人のメタデータに基づく検索又は推奨である、請求項１に記載の方法。
【請求項６】
ユーザインタフェースで個人のメタデータを提示するステップであって、前記個人のメタデータは通信ネットワークを通じてアクセス可能な１又は複数の情報源からのものである、ステップと、
前記ユーザインタフェースを通じて、前記通信ネットワークを通じて１又は複数のエンティティに前記個人のメタデータの一部をブロードキャストするための選択を可能にするステップであって、前記のブロードキャストは、前記１又は複数のエンティティによる接触に対する明示的な要求を示す、ステップと、
前記個人のメタデータの前記一部をブロードキャストするための選択に応答して、前記１まのエンティティに、前記個人のメタデータの前記一部及び前記個人のメタデータの他の部分を提供するステップであって、前記個人のメタデータの前記他の部分は、前記の接触を調整するために前記１又は複数のエンティティにより使用可能である、ステップと、
を有するコンピュータにより実施される方法。
【請求項７】
前記個人のメタデータの前記一部及び前記他の部分を提供するステップは、前記個人の識別情報を示す情報を有しない、請求項６に記載の方法。
【請求項８】
前記個人のメタデータの前記一部及び前記他の部分に調整された接触を受けるステップと、
前記の接触を受けるステップに応答して、前記接触を前記ユーザインタフェースで提示するステップと、
を更に有する請求項６に記載の方法。
【請求項９】
前記接触に関連し且つ前記の接触を受ける前記１又は複数のエンティティのうちの１つのエンティティに関連する購入を行うための選択を可能にするステップと、
前記の購入を行うための選択に応答して、
前記エンティティに購入情報を提供するステップと、
購入確認を受信するステップと、
前記購入確認を提示するステップと、
を有する請求項８に記載の方法。
【請求項１０】
前記個人のメタデータの前記一部が提供される前記エンティティのうちの１つから、前記個人のメタデータの前記一部及び前記他の部分に基づき選択された物品又はサービスを購入する申し出を受信するステップと、
前記ユーザインタフェース又は第２のユーザインタフェースを通じて前記申し出を提示するステップと、
を有する請求項６に記載の方法。
【発明の詳細な説明】
【技術分野】
【０００１】
本発明は、個人メタデータの制御又は使用に関する。
【背景技術】
【０００２】
人々は多くの異なる方法でインターネットと相互作用する。彼らは、記事を読み、製品又は情報を検索し、物を購入し、社会イベントを記録する。これらの相互作用の各々は、インターネットと相互作用する個人に、及び個人が彼女自身の及び友人の写真をアップロードするときのように相互作用していない他の個人に関するメタデータも作成し得る。
【０００３】
個人メタデータは重要である。個人のメタデータは、個人のオンライン及び実生活の評判に影響を与える。通常、インターネット上のエンティティは彼らが個人との相互作用を調整するために用いるメタデータの一部を有するので、個人のメタデータはインターネット内の将来の相互作用にも影響を与え得る。さらに、このメタデータは、例えば接触、個人の識別情報の盗難、又は私的情報の露出のよな個人が通常望まない方法（例えば、スパム電子メール）で用いられ得る。
【発明の概要】
【発明が解決しようとする課題】
【０００４】
本発明は、個人メタデータの制御又は使用を可能にする技術及び装置を提供する。
【課題を解決するための手段】
【０００５】
＜要約＞
本願明細書は、個人メタデータの制御又は使用を可能にする技術及び装置を記載する。幾つかの実施形態では、当該技術は、個人のメタデータをインターネット上の種々の情報源から集めて整理し、ユーザインタフェースに個人のメタデータを提示し、メタデータの一部の追加、削除又は重み付けにより個人に彼又は彼女のメタデータを制御させる。これにより、当該技術は、人々に、彼らのメタデータを知らせ変更可能にする。これは、彼らに、インターネットとの彼らの相互作用を調整させ又は彼らの評判若しくは安全を向上させる。
【０００６】
この要約は、個人メタデータの制御又は使用を可能にするための簡単な概念を紹介するために導入された。この概念は以下の詳細な説明で更に説明する。この要約は、請求の範囲の主要な特徴又は基本的特徴を特定するものではなく、請求の範囲の範囲を限定するものでもない。
【図面の簡単な説明】
【０００７】
個人メタデータの制御又は使用を可能にする技術及び装置の実施形態は、以下の図面を参照して記載される。同一の参照符号は、同様の特徴及びコンポーネントを表すために図面を通じて使用される。
【図１】個人メタデータの制御又は使用を可能にする技術が実施される例示的な環境を示す。
【図２】図１に示したコンピューティング装置の更に詳細な図である。
【図３】図１のリモート装置の更に詳細な図である。
【図４】個人メタデータの制御又は使用を可能にする例示的な方法を示す。
【図５】主題及び影響によりグループ化された個人メタデータを有する図１のユーザインタフェースを示す。
【図６】個人メタデータが変更された後の、図５のユーザインタフェースを示す。
【図７】制御又は使用の結果、１又は複数のエンティティに個人メタデータをブロードキャストする、個人メタデータの制御又は使用を可能にする例示的な方法を示す。
【図８】個人メタデータの制御又は使用を可能にする技術が実施される例示的な装置を示す。
【発明を実施するための形態】
【０００８】
＜概要＞
本願明細書は、個人メタデータの制御又は使用を可能にする技術及び装置を記載する。例として、インターネットと３回だけしか相互作用したことのないＬｙｄｉａという名前の個人の簡単な場合を検討する。彼女の最初の相互作用では、ＬｙｄｉａはＳｈｏｅＳｔｏｒｅ．ｃｏｍからバレーシューズを購入する。この相互作用の結果、以下のメタデータが生成されＬｙｄｉａと関連付けられる。Ｌｙｄｉａのフルネーム、靴が出荷された住所、Ｌｙｄｉａのクレジットカードに関する情報、靴の価格、靴のサイズ、靴の種類（バレー）、及び靴が購入されたとき及び場所（ＳｈｏｅＳｔｏｒｅ．ｃｏｍ）である。
【０００９】
彼女の２回目の相互作用で、Ｌｙｄｉａは彼女のスマートフォンで検索エンジンを通じて映画館で現在上映中の映画を検索する。この相互作用の結果、以下の追加メタデータが生成されＬｙｄｉａと関連付けられる。Ｌｙｄｉａのスマートフォンの地理的場所、検索語（「アニメ映画」）、スマートフォンの識別子と種類、検索が行われたとき、検索に対して提示された結果、及びＬｙｄｉａによる結果の選択である。
【００１０】
彼女の３回目の相互作用では、Ｌｙｄｉａはソーシャルネットワーキングウェブサイトに参加し、彼女が彼女の検索で見付けた映画での彼女自身及び友人の写真を彼女がアップロードする彼女の最初の投稿を入力する。この相互作用は、以下の追加メタデータを生じる。Ｌｙｄｉａがウェブサイトに参加したときに彼女が入力した全て、例えば年齢、性別、住所、写真、又はアバター、及び趣味；彼女の投稿若しくは彼女の投稿内での言及に関連する友人、影響、又はメディア；Ｌｙｄｉａが写真を彼女の友人の名前にタグ付けした場合には彼女の友人の名前及び写真；タグ付けした場合にはＬｙｄｉａの写真；彼女が彼女の最初の投稿で入力したテキスト（「ＡｍｅｌｉａとＴａｎｇｌｅｄでとても楽しかった」）である。
【００１１】
インターネットとの３回の相互作用しかないこの単純な場合にさえ、Ｌｙｄｉａのメタデータは既に大量である。現在の技術は、Ｌｙｄｉａに彼女のメタデータの制御若しくは知識をほとんど又は全く許さない。そして、彼女が彼女の相互作用したエンティティ（靴屋、検索エンジン、ソーシャルネットワーキングサイト）に接触する場合でも、インターネット上の彼女に関するメタデータのほとんど又は全部の制御若しくは知識をほとんど又は全く許さない。数百又は数千回もの相互作用を有する個人は、彼又は彼女のメタデータについてどこを探すべきか全く知り得ず、ましてそのメタデータを意味があるように制御する又はどのように使用されているかを知ることなどできない。
【００１２】
しかしながら、本願明細書に記載の技術は、人々に彼らのメタデータを制御し及び／又は使用することを可能にする。Ｌｙｄｉａの場合には、例えば、当該技術は、彼女のメタデータを集めて整理し、集めて整理した彼女のメタデータをユーザフレンドリインタフェースで提示し、彼女がこのメタデータの制御することを可能にできる。Ｌｙｄｉａは、彼女のメタデータが彼女の住所及びクレジットカード番号を有すること、彼女が映画Ｔａｎｇｌｅｄに行ったこと、及び彼女がバレーシューズを購入したことを含むことが分かる。
【００１３】
Ｌｙｄｉａは、このメタデータを制御でき、彼女が彼女の住所及びクレジットカード番号を任意のエンティティ（ＳｈｏｅＳｔｏｒｅ．ｃｏｍを含む）に利用可能にしたくないとする。この技術は、彼女に、これらを削除することを可能にする。その後、この技術は、ＳｈｏｅＳｔｏｒｅ．ｃｏｍに連絡を取り、彼らにこの情報を削除するよう伝える。Ｌｙｄｉａはバレーのための靴を頻繁に使用せず、彼女の趣味は今やテニスとバスケットボールであるとする。この技術は、彼女に靴の重みを低くさせ、将来の相互作用がバレーに対して重く重み付けされないようにする。
【００１４】
また、Ｌｙｄｉａは映画Ｔａｎｇｌｅｄが大好きであったとする。この技術は、彼女に、Ｔａｎｇｌｅｄのメタデータの重みを重くし、将来の検索、推奨、及び彼女のオンラインの存在が彼女は本当に映画が好きであることを反映するようにする。次にＬｙｄｉａが「コメディ映画」をインターネット検索に入力した場合、例えば、彼女の変更済みメタデータは検索エンジンにバレーに関するコメディを下の方に列挙させ（又はリストに載せず）、彼女の未変更のメタデータを用いて検索に対して彼女の実母から追放されたヒロインを有するアニメ映画（例えばＣｉｎｄｅｒｅｌｌａ）を上位に列挙させる。
【００１５】
これは、個人メタデータの制御又は使用を可能にする技術がどのように動作するかの一例であるが、他の例も以下に記載する。本願明細書は、技術が実施され得る例示的な環境を説明し、その後、技術を実行する例示的な方法を説明する。
【００１６】
＜例示的な環境＞
図１は、技術が個人メタデータの制御又は使用を可能にする例示的な環境１００の図である。環境１００は、１又は複数のコンピューティング装置１０２、リモート装置１０４、リモートエンティティ１０６、及び通信ネットワーク１０８を有する。コンピューティング装置１０２及び／又はリモート装置１０４は、エンティティ１０６から個人メタデータを受信し及び整理できる。コンピューティング装置１０２は、使用又は制御のためにユーザにこの個人メタデータを提示する。コンピューティング装置１０２、リモート装置１０４、及びリモートエンティティ１０６は、通信ネットワーク１０８を通じて相互作用する。通信ネットワーク１０８は、インターネット、ローカルエリアネットワーク、ワイドエリアネットワーク、無線ネットワーク、ＵＳＢハブ、コンピュータバス、別のモバイル通信ネットワーク、又はそれらの組み合わせを有しても良い。
【００１７】
図２は、図１のコンピューティング装置１０２の例示的な実装を示す。コンピューティング装置１０２は、６個の例示的な装置、つまりラップトップコンピュータ１０２−１、タブレットコンピュータ１０２−２、スマートフォン１０２−３、セットトップボックス１０２−４、デスクトップコンピュータ１０２−５、及びゲーム装置１０２−６、を有して図示されるが、サーバ及びノートブックのような他のコンピューティング装置及びシステムが用いられても良い。
【００１８】
コンピューティング装置１０２は、コンピュータプロセッサ２０２、コンピュータ可読記憶媒体２０４（媒体２０４）、及び１又は複数のディスプレイ２０６、を有し又はこれらへのアクセスを有する。これらのうちの４個の例が図２に示される。媒体２０４は、オペレーティングシステム２０８及びメタデータマネジャ２１０を有する。
【００１９】
メタデータマネジャ２１０は、単独で又は本願明細書に記載の他のエンティティと組み合わせて、個人メタデータの制御又は使用を可能にする。メタデータマネジャ２１０は、ユーザインタフェース２１２を有し又はそれへのアクセスを有する。ユーザインタフェース２１２は、個人メタデータを提示し、メタデータのグラフィカル表示及び選択のようなメタデータとの相互作用を可能にする。メタデータマネジャ２１０は、ユーザの選択に応答して、個人のメタデータを変更する。
【００２０】
図３は、リモート装置１０４の例示的な実施形態の図である。リモート装置１０４は、１又は複数のプロセッサ３０２及びリモートコンピュータ可読記憶媒体３０４（リモート媒体）を有する。媒体３０４は、リモートマネジャ３０６を有し又はそれへのアクセスを有する。リモートマネジャ３０６は、単独で又はメタデータマネジャ２１０及び／又はユーザインタフェース２１２のような本願明細書に記載の他のエンティティと組み合わせて、個人メタデータの制御又は使用を可能にする。メタデータマネジャ２１０と同様に、リモートマネジャ３０６は、コンピューティング装置１０２のユーザインタフェース２１２を通じて、メタデータを提示し、制御のために選択することを可能にしても良い。
【００２１】
上述及び他の能力は、図１−３のエンティティが動作及び相互作用する方法と同様に、以下に詳細に説明される。留意すべきことに、これらのエンティティは、更に分割、結合等されても良い。したがって、図１の環境１００及び図２、３の詳細な図は、記載の技術を実施できる多くの可能な環境のうちの一部を示す。
【００２２】
＜例示的な方法＞
図４、７は、それぞれ個人メタデータの制御又は使用を可能にする例示的な方法４００、７００を示す。これらの方法の全部又は一部は、別個に又は組み合わせて実行されても良い。これらの方法は、実行される動作を特定するブロックのセットとして示されるが、個々のブロックにより動作を実行するために示した順序に必ずしも限定されない。以下の議論の一部では、図１の環境１００及び図２−３の詳細を参照するが、これらの参照は単なる例である。
【００２３】
ブロック４０２は、通信ネットワークを通じてアクセス可能な１又は複数のメタデータ情報源から、個人に関連するメタデータを受信する。個人メタデータは、受動的に又は情報源への問い合わせに応答して受信され得る。
【００２４】
上述のように、個人のメタデータは、通信ネットワークを通じて利用可能な個人に関連するいかなる情報であっても良い。個人メタデータの例は、ほんの少数の例を挙げると、通信ネットワークを通じた個人の購入、個人による検索、個人に関連する装置の現在若しくは過去の地理的場所、年齢、性別、人種及び婚姻状態のような個人のデモグラフィック、他の人々のネットワーク内に彼らのメタデータを含む個人のソーシャルネットワーク、個人の明示的に選択された好み、ダウンロードした曲若しくは映画のようなメディア使用、個人の変化若しくは傾向を示す時間に基づくメタデータの変化を含む。
【００２５】
個人メタデータの複数の情報源は、個人が確立した関係を有する又は有しないエンティティであり得る。個人が関係を有するエンティティの例は、個人がエンティティ及び個人に特有のログイン、認証コード又は識別子を有するエンティティ（例えば、個人が物品又はサービスを購入した、ログイン、登録電子メール、テキスト、又はＲＳＳフィード等を作成したウェブサイト）である。ブロック４０２は、通常メタデータを有するエンティティ又は検索若しくは問い合わせを通じて確立した関係を有するエンティティのような、メタデータを要求すべきエンティティを決定しても良い。個人のメタデータを有する例示的なエンティティは、メタデータを編集するエンティティ、幾つかの検索エンジン、及び関係を有するエンティティに関連する又はこれらのエンティティからメタデータを購入／取得する多くのエンティティを含む。
【００２６】
上述のＬｙｄｉａの例を続けると、図２、３のメタデータマネジャ２１０及び／又はリモートマネジャ３０６は、それぞれ（単独で又は「マネジャ２１０／３０６」と組み合わせて）、ＬｙｄｉａのメタデータをＳｈｏｅＳｔｏｒｅ．ｃｏｍ、Ｌｙｄｉａの使用した検索エンジン、Ｌｙｄｉａが参加し投稿したソーシャルネットワーキングサイト、及びこれらのエンティティのうちの１又は複数から受信したＬｙｄｉａのメタデータの一部を有する同様の多くの他のエンティティに問い合わせ、そして受信する。
【００２７】
ブロック４０４は、複数の情報源から個人のメタデータを集めて整理する。必要ではないが、メタデータの整理は、個人がグループ化されたメタデータを見るのを支援する。または、他の収集及び整理は、個人がメタデータを理解し制御するのを容易にする。したがって、マネジャ２１０／３０６は、個人のデモグラフィック（年齢、等）、ソーシャルネットワーク、消費メディア、最も訪問したエンティティ、購入、最近の検索、等に関連するメタデータを収集し整理しても良い。マネジャ２１０／３０６は、推奨、検索、及び他の調整に与える影響により、メタデータをグループ化しても良い。個人がプライバシーに関心がある場合、例えば、非デモグラフィックメタデータと混乱せずに又は検索を通じることなく、デモグラフィックグループはどんなデモグラフィックメタデータが存在するかを個人に素早く分からせ、従ってそれを制御させる。個人が、彼女のメタデータが彼女が影響の正確な大きさと考えているものを有するかを確かめたい場合、影響により示されるグループは、個人が種々の影響を知り変更するための迅速な方法であり得る。
【００２８】
ブロック４０６は、ユーザインタフェースを通じて個人メタデータを提示する。上述のように、提示されるメタデータは、少数の例を挙げれば、メタデータのリストを通じて、メタデータの情報源、年齢及びメタデータの部分の関連性、メタデータの影響、及び主題によりグループ化されたメタデータを示すことにより、種々の方法でユーザの便宜のために整理できる。
【００２９】
例として、図５を検討する。図５は、主題及び影響によりグループ化された個人メタデータ５０２を有するユーザインタフェース２１２を示す。デモグラフィックメタデータは、デモグラフィックグループ５０４で文字リストで主題によりグループ化される。他のメタデータは、名称によりグループ化される。各グループのサイズは、Ｌｙｄｉａの相互作用、インターネットの存在、及び／又は経験の調整に及ぼす相対的影響を示す。影響は、影響グループ５０６、５０８、５１０、５１２、５１４、５１６に、それぞれ「Your  Interest:Ballet」、「Your  Media:Tangled」、「Media:SPORTS」、「Your  Friend:Calvin」、「Your  Friend:John」、「Your  Friend:Amelia」として示される。ここで、Ｌｙｄｉａは、現行の例で、彼女のソーシャルネットワーキングウェブサイトに追加の投稿を行い、Calvin、John、Ameliaを巻き込み、彼女はスポーツウェブサイトを訪問したとする。前述の相互作用及びこれらの追加の相互作用に基づき、Ｌｙｄｉａのメタデータは図５に示すようにグループ化され得る。
【００３０】
ブロック４０８は、ユーザインタフェースに提示された個人メタデータの一部を削除し又は重み付けするために選択することを通じて個人メタデータの制御を可能にする。例えば、ブロック４０８は、個人に、彼らのメタデータの一部又はブロック部分を、特定のエンティティから削除し、又は新しいエンティティにメタデータを露出することを選択させることができる。さらに、ブロック４０８は、上述のように、個人がメタデータの種々の部分を重み付けできるようにして、メタデータの影響を有効に変更できるようにする。
【００３１】
現行の例を続けると、図５及び種々のメタデータグループを再び検討する。ここで、Ｌｙｄｉａは、彼女の友人Calvin及びJohnは彼女と同じことを好まない場合が多いので、彼らの影響を低減したいとする。さらに、Ｌｙｄｉａは、彼女と彼女の友人Ａｍｅｌｉａは親友であり同じことを好む場合が多いので、Ａｍｅｌｉａの影響を増大させたいとする。さらに、Ｌｙｄｉａは、インターネット上のエンティティに彼女の年齢を知られたくないとする。Ｌｙｄｉａは、ユーザインタフェース２１２を通じて、マネジャ２１０／３０６により管理されるように、単純に「１８  Years  Old」を削除することを選択し、「Your  Friend:Calvin」及び「Your  Friend:John」のサイズを縮小し、「Your  Friend:Amelia」を増大できる。ユーザインタフェース２１２は、Ｌｙｄｉａがこれをグラフィカルに又は他の方法で行うことを可能にする。
【００３２】
ブロック４０８は、個人がメタデータ（例えば、「私は大学のバスケットボールが好きである」）を入力できるデータ入力フィールド、又はメタデータのラベル若しくはグラフィックのリスト（例えば、「ゴルフ」、「テニス」、「経済」、「世界イベント」）のような素早く且つ簡単に選択するための選択肢を提示するように、メタデータを追加することも選択できるようにしても良い。
【００３３】
ブロック４１０は、選択に応答して、個人のメタデータの一部を、又は個人のメタデータ及び選択に基づき将来の相互作用を変更する。個人がメタデータを変更又は削除することを選択した場合、例えば、ブロック４１０は、そのメタデータが受信されたエンティティ又は人々のメタデータを保持し得る他のエンティティに連絡を取ることにより、そのメタデータをローカルで及びリモートでも削除し又は変更できる。個人が、影響又は重み付けを調整することによりメタデータを変更することを選択した場合、個人のメタデータは、リモートで変更されても変更されなくても良いが、将来の相互作用に影響を与え得る。
【００３４】
現行の例では、これらの選択を行った後、Ｌｙｄｉａの個人メタデータは、以下のようにマネジャ２１０／３０６により変更される。図６は、個人メタデータ６０２の変更された結果を視覚的に示す。留意すべきことに、種々のグループの影響は、選択により減少又は増大されることが示され、Ｌｙｄｉａのデモグラフィックは彼女の年齢を含まない。これらは、変更されたデモグラフィックグループ６０４、それぞれ「Calvin」、「John」、「YourFriend:Amelia」という名称の変更された影響グループ６０６、６０８、６１０に示される。
【００３５】
このＬｙｄｉａによる彼女の個人メタデータに対する制御は、（図１のリモートエンティティ１０６のような）リモートエンティティに連絡を取り、該リモートえんにＬｙｄｉａのメタデータを変更することを要求する（又は命じる）マネジャ２１０／３０６により、インターネット上の彼女のメタデータに変更を生じ得る。さらに、修正は、エンティティがＬｙｄｉａの相互作用をどのように調整するかに影響を与える。本例では、Ｌｙｄｉａは、Ｃａｌｖｉｎ及びＪｏｈｎの影響を低減したが、Ａｍｅｌｉａの影響を増大した。Ｃａｌｖｉｎ及びＪｏｈｎが野球を好むことを示す彼らのメタデータ、及びＡｍｅｌｉａがテニスを好むことに基づき、Ｌｙｄｉａの変更の前には「地元のＡＡＡ野球チームのプレイオフは月曜日に開始する」と提示し得る代わりに、外出する活動又は読む記事についてリモートエンティティからの推奨は、「米国テニス協会のジュニアテニスリーグに参加する」と提示しても良い。
【００３６】
追加で、方法４００は、ブロック４１２に進み、変更されたメタデータに基づき相互作用を調整しても良い。幾つかの実施形態では、マネジャ２１０／３０６は、リモートエンティティ１０６と個人の相互作用を実現するよう動作する。このような場合、マネジャ２１０／３０６が、変更されたメタデータを検索エンジン、販売ウェブサイト、又は他のエンティティに提供し、これらのエンティティがＬｙｄｉａの彼らとの相互作用を良好に調整できるようにする。さらに、マネジャ２１０／３０６は、検索結果を受信し、結果をユーザインタフェース２１２若しくは別のローカルインタフェース（例えば、マネジャ２１０／３０６と相互作用するウェブブラウザ）で提示することにより、これらの相互作用を管理しても良い。
【００３７】
ブロック４１４は、相互作用が基づく個人のメタデータの一部を示す。したがって、マネジャ２１０／３０６は、検索結果、又はテニスリーグに参加する又は特定の映画を見るのような推奨が根拠としたメタデータを示すことができる。そうすることにより、個人は、個人のメタデータにより相互作用がどのように変更されるかを学習でき、個人が個人のメタデータ及びしたがって個人の相互作用をどのように制御するかを良好に知ることができる。
【００３８】
現行の例の終わりに、マネジャ２１０／３０６は、ユーザインタフェース２１２を通じて、推奨「米国テニス協会のジュニアテニスリーグに参加する」を、この推奨がＬｙｄｉａのテニス好きなＡｍｅｌｉａとの友情関係に基づいたことを示す文字及び／又は視覚的説明と一緒に提示する。
【００３９】
方法７００の説明に移る前に、方法４００で別の例を検討する。５歳から２０歳の４人の子供の父親のような誰かが、多数の個人メタデータを有し、個人メタデータの多くは彼の妻及び４人の子供のような他者と彼との相互作用を対象としているとする。父親のメタデータが多くの影響（図５を参照）又は不正確性を有する場合、これは本技術が彼に彼のメタデータを一時的であっても制御することを可能にする場合に当てはまる。彼のメタデータが、彼は吸血鬼に関するプレティーン小説を好むことを示す場合を検討する。また、このメタデータは、実際には、書籍販売ウェブサイトで彼のアカウントを用いている彼の１２歳の娘からのものであるとする。彼は、このメタデータを削除すること、又は一時的にその影響を低減若しくは除去することを選択しても良い。彼が新しい書籍を探す場合、本技術は、彼に、彼の現在の検索又はサーフィンセッションの目的のために、プレティーン小説の影響を除去することを可能にする。そうすることにより、彼の検索結果は、吸血鬼ではなく、経済に関する書籍を正しく示すことができる。同様に、通常４歳の息子に玩具を購入する親は、単一の相互作用又はセッションでさえ、彼の相互作用から機関車トーマスの影響を除去できる。
【００４０】
図７は、制御又は使用の結果、１又は複数のエンティティに個人メタデータをブロードキャストする、個人メタデータの制御又は使用を可能にする方法７００を示す。方法７００で動作が実行される方法は、概して本技術に及び方法４００の動作にも適用でき、逆も同様である。
【００４１】
ブロック７０２は、ユーザインタフェースを通じて個人メタデータを、通信ネットワークを通じてアクセス可能な１又は複数の情報源から個人メタデータを、及び／又はローカルに格納されたメタデータを提示する。ブロック７０２は、図４のブロック４０６と同様に動作し、ブロック４０４及び／又は４０２が先行しても良い。
【００４２】
ブロック７０４は、ユーザインタフェースを通じて、メタデータの一部を１又は複数のエンティティに通信ネットワークを通じてブロードキャストすることを選択可能にする。ブロードキャストは、１又は複数のエンティティによる連絡のために明示的要求を示す。例えば、マネジャ２１０／３０６は、適切なエンティティへのブロードキャストのために、新らしいメタデータの入力、メタデータの変更、又はメタデータのグループの単純な選択を可能にしても良い。図５に戻り、例えば、アニメ映画Ｔａｎｇｌｅｄと関連するＬｙｄｉａのメタデータの影響を示す影響グループ５０８を検討する。ブロック７０４で、マネジャ２１０／３０６は、ブロードキャストのために、この影響グループ５０８の選択を可能にする。Ｌｙｄｉａは、（例えば、小説Ｒａｐｕｎｚｅｌに基づき）映画について更に知りたいと思い、購入又はレンタルするために同様の映画の推奨を受信したいと思うとする。単にブロードキャストのために影響グループ５０８を選択することにより、彼女は適切なエンティティによる連絡を明示的に要求できる。
【００４３】
ブロック７０６は、メタデータをブロードキャストすることの選択に応答して、連絡を実現するために、１又は複数のエンティティに、選択されたブロードキャストメタデータ及び個人メタデータの他の部分を提供する。個人メタデータの他の部分は、連絡を調整するために、メタデータのブロードキャストされる部分に加えて、１又は複数のエンティティにより使用可能である。マネジャ２１０／３０６は、この要求のために、ｂｏｏｋｓｅｌｌｅｒｓ．ｃｏｍ及びｎｅｔｍｏｖｉｅ．ｃｏｍのようなどのエンティティが適切かを決定できる。マネジャ２１０／３０６は、「Ｔａｎｇｌｅｄ、アニメ映画、２０１０年公開」のような選択と関連するメタデータだけでなく、「趣味はバレー及びテニスを含む」のようなＬｙｄｉａの他のメタデータの関連する一部も、これらのウェブサイトの各々に提供する。
【００４４】
さらに、本技術は、Ｌｙｄｉａを保護するために又は単に関連がないので、Ｌｙｄｉａの識別情報及び他のデモグラフィック情報のような特定のメタデータをなしで済ませても良い。
【００４５】
ブロック７０８は、１又は複数のエンティティからメタデータのブロードキャストされた部分及び他の部分に調整された連絡を受け、連絡を提示する。幾つかの例では、方法７００は、ブロック７０６で終了し、この場合には、ウェブブラウザ又は他のエンティティは連絡を提示する。方法７００は、ブロック７０８に進んでも良い。しかしながら、この場合には、マネジャ２１０／３０６が連絡を受け提示する。連絡は、ユーザインタフェース２１２又はその他を通じて提示されても良い。
【００４６】
現行の例を続けると、ｂｏｏｋｓｅｌｌｅｒｓ．ｃｏｍ及びｎｅｔｍｏｖｉｅ．ｃｏｍの両者が、Ｔａｎｇｌｅの書籍版及びそれが根拠とする小説のような購入するための物品を示し、ｂｏｏｋｓｅｌｌｅｒｓ．ｃｏｍからＲａｐｕｎｚｅｌ、及びｎｅｔｍｏｖｉｅ．ｃｏｍからダウンロードするための同様の映画が示されるとする。マネジャ２１０／３０６は、エンティティがどの個人を対象としているかを知っているこれらのエンティティとの又はこれらのエンティティとではないこれらの連絡を提示しても良い。これは、彼女がこれらのエンティティから購入することを選択すべきではないこれらのエンティティによる将来の接触（連絡）からＬｙｄｉａを保護する。
【００４７】
さらに、マネジャ２１０／３０６は、個人が、物品を購入すること、又はマネジャ２１０／３０６を通じて連絡を提供するエンティティと相互作用することを可能にし、したがって必要以上にエンティティにメタデータを渡さない。したがって、Ｌｙｄｉａは、彼女の個人メタデータの多くを示す関係を確立することなく、Ｒａｐｕｎｚｅｌを購入できる。本例では、マネジャ２１０／３０６は、物品を購入することの選択に応答して、エンティティに購入情報を提供し、購入確認を受信し、そしてＬｙｄｉａに購入確認を提示する。
【００４８】
これらの技術は、図２、３の詳細を含む図１の環境１００に示した１又は複数のエンティティ、及び／又は以下に説明する例示的な装置８００で実施されても良い。これらの全ては、更に分割され、結合される等しても良い。したがって、環境１００及び／又は装置８００は、本願明細書に記載の技術を実施可能な多くの可能なシステム又は装置の一部を示す。環境１００及び／又は装置８００のエンティティは、概して、ソフトウェア、ファームウェア、ハードウェア、装置若しくはネットワーク全体、又はそれらの組み合わせを表す。ソフトウェア実装の場合には、例えば、エンティティ（例えばメタデータマネジャ２１０及びリモートマネジャ３０６）は、プロセッサ（例えばプロセッサ２０２及び／又は３０２）で実行されると特定のタスクを実行するプログラムコードを表す。プログラムコードは、媒体３０２及び／又は３０４のような１又は複数のコンピュータ可読記憶装置、又は図８のコンピュータ可読媒体８１４に格納できる。
【００４９】
＜例示的な装置＞
図８は、個人メタデータの制御又は使用を可能にする技術を実施する図１−７を参照して上述したような任意の種類のクライアント、サーバ、及び／又はコンピューティング装置として実装できる例示的な装置８００の種々のコンポーネントを示す。装置８００は、有線及び／又は無線装置の１つ又は組み合わせとして、テレビジョンモバイルコンピューティング装置（例えば、テレビジョンセットトップボックス、デジタルビデオレコーダ（ＤＶＲ）等）、消費者装置、コンピュータ装置、サーバ装置、ポータブルコンピュータ装置、ユーザ装置、通信装置、ビデオ処理及び／又は再生装置、家電機器、ゲーム装置、電子装置の形式として、及び／又は別の種類の装置として、実装できる。装置８００は、ユーザ（例えば、個人）及び／又は装置を動作させるエンティティと関連付けられても良い。したがって、装置は、ユーザ、ソフトウェア、ファームウェア及び／又は装置の組み合わせを含む論理装置を表現する。
【００５０】
装置８００は、装置データ８０４（例えば、受信データ、受信中データ、ブロードキャストのためにスケジューリングされたデータ、データのデータパケット、等）の有線及び／又は無線通信を可能にする通信装置８０２を有する。装置データ８０４又は他の装置コンテンツは、装置の構成設定、装置に格納されたメディアコンテンツ、及び／又は装置のユーザに関連する情報を有し得る。装置８００に格納されたメディアコンテンツは、任意の種類のオーディオ、ビデオ、及び／又は画像データを有し得る。装置８００は、１又は複数のデータ入力８０６を有する。データ入力８０６を介して、人間の発生、ユーザ選択可能入力、メッセージ、音楽、テレビジョンメディアコンテンツ、録画ビデオコンテンツのような任意の種類のデータ、メディアコンテンツ及び／又は入力、並びに任意のコンテンツ及び／又はデータソースから受信された任意の他の種類のオーディオ、ビデオ及び／又は画像データが受信される。
【００５１】
装置８００は、通信インタフェース８０８も有する。通信インタフェース８０８は、シリアル及び／又はパラレルインタフェース、無線インタフェース、任意の種類のネットワークインタフェース、モデム、及び任意の他の種類の通信インタフェースのうちの任意の１又は複数として実装できる。通信インタフェース８０８は、他の電子、コンピューティング及び通信装置が装置８００と通信する装置８００と通信ネットワークとの間のコネクション及び／又は通信リンクを提供する。
【００５２】
装置８００は、種々のコンピュータ実行可能命令を処理して装置８００の動作を制御し及び個人メタデータの制御又は使用を可能にする技術を可能にする１又は複数のプロセッサ８１０（例えば、マイクロプロセッサ、コントローラ、等）を有する。代替又は追加で、装置８００は、ハードウェア、ファームウェア、又は概して８１２で識別される処理及び制御回路と接続されて実装される固定論理回路のうちの任意の１つ又は組み合わせで実装できる。図示しないが、装置８００は、システムバス、又は装置内の種々のコンポーネントを結合するデータ転送システムを有し得る。システムバスは、メモリバス又はメモリ制御部、周辺機器バス、ＵＳＢ、及び／又は種々のバスアーキテクチャのうちの任意のものを利用するプロセッサ若しくはローカルバスのような異なるバス構造のうちの任意の１つ又は組み合わせを有し得る。
【００５３】
装置８００は、恒久的及び／又は非一時的データ記憶を可能にする（つまり、単なる信号伝送とは対照的な）１又は複数のメモリ装置のようなコンピュータ可読記憶媒体８１４も有する。これらの例は、ＲＡＭ（random  access  memory）、不揮発性メモリ（例えば１又は複数のＲＯＭ（read-only  memory）、フラッシュメモリ、ＥＰＲＯＭ、ＥＥＰＲＯＭ、等）及びディスク記憶装置を含む。ディスク記憶装置は、ハードディスクドライブ、記録可能及び／又は書き換え可能コンパクトディスク（ＣＤ）、任意の種類のＤＶＤ（digital  versatile  disc）等のような任意の種類の磁気又は光記憶装置として実装されても良い。装置８００は、大容量記憶媒体装置８１６も有し得る。
【００５４】
コンピュータ可読記憶媒体８１４は、種々の装置アプリケーション８１８及び任意の他の種類の情報及び／又は装置８００の動作態様に関連するデータと共に、装置データ８０４を格納するデータ記憶メカニズムを提供する。例えば、オペレーティングシステム８２０は、コンピュータ可読記憶媒体８１４と共にコンピュータアプリケーションとして維持され、プロせっｓあ８１０で実行され得る。装置アプリケーション８１８は、制御アプリケーション、ソフトウェアアプリケーション、信号処理及び制御モジュール、特定の装置に固有のコード、特定の装置のためのハードウェア抽象レイヤ、等の二に野形式のデバイスマネジャを有しても良い。
【００５５】
装置アプリケーション８１８は、個人メタデータの制御又は使用を可能にする技術を実施する任意のシステムコンポーネント、エンジン、又はモジュールも有する。本例では、装置アプリケーション８１８は、メタデータマネジャ２１０又はリモートマネジャ３０６を有し、図２のユーザインタフェース２１２のようなこれらのいずれかはユーザインタフェースと相互作用できる。
【００５６】
＜まとめ＞
個人メタデータの制御又は使用を可能にする技術及び装置の実施形態が特徴及び／又は方法に特有の用語で期しあされたが、添付の請求の範囲の主題は記載した特定の特徴又は方法に必ずしも限定されないことが理解される。むしろ、特定の特徴及び方法は、個人メタデータの制御又は使用を可能にする例示的な実装として開示された。
【図１】
2014521155.tif 000003
【図２】
2014521155.tif 000004
【図３】
2014521155.tif 000005
【図４】
2014521155.tif 000006
【図５】
2014521155.tif 000007
【図６】
2014521155.tif 000008
【図７】
2014521155.tif 000009
【図８】
2014521155.tif 000010
【国際調査報告】
2014521155.tif 000011
2014521155.tif 000012
2014521155.tif 000013